(57)【要約】【課題】  本発明は、簡易な操作及び構成でマッチング成立情報をユーザに通知することができるサーバ装置を提供することを目的とする。【解決手段】  既登録ユーザのマイプロフィール情報と、既登録ユーザのマッチング希望相手プロフィール情報とを関連付けて、それぞれ既登録ユーザ毎に記憶する記憶部６０と、端末装置４０から新規登録ユーザのマイプロフィール情報及びマッチング希望相手プロフィール情報を受信することにより、記憶部６０に記憶されている既登録ユーザの中から、新規登録ユーザのマイプロフィール情報をマッチング希望相手プロフィール情報として指定している既登録ユーザであって、かつ新規登録ユーザのマッチング希望相手プロフィール情報としてマイプロフィール情報が指定されている既登録ユーザを抽出した場合には、マッチング成立情報を生成し端末装置４０に送信する制御部５０とを備える。【選択図】  図１
2018077590.tif 000002
【特許請求の範囲】
【請求項１】
複数の端末装置に接続されたサーバ装置において、
既登録ユーザの氏名及び所属団体名を有するマイプロフィール情報と、前記既登録ユーザのマッチング希望相手の氏名及び所属団体名を有するマッチング希望相手プロフィール情報とを関連付けて、それぞれ前記既登録ユーザ毎に記憶する記憶部と、
前記端末装置から新規登録ユーザの前記マイプロフィール情報及び前記マッチング希望相手プロフィール情報を受信することにより、前記記憶部に記憶されている前記既登録ユーザの中から、前記新規登録ユーザの前記マイプロフィール情報を前記マッチング希望相手プロフィール情報として指定している前記既登録ユーザであって、かつ前記新規登録ユーザの前記マッチング希望相手プロフィール情報として前記マイプロフィール情報が指定されている前記既登録ユーザを抽出した場合には、マッチングが成立したことを示すマッチング成立情報を生成し、これを前記端末装置に送信する制御部と
を備えることを特徴とするサーバ装置。
【発明の詳細な説明】
【技術分野】
【０００１】
本発明は、サーバ装置に関する。
【背景技術】
【０００２】
従来、複数のユーザの中から所望のユーザ同士をマッチングさせるマッチング支援システムを構築するため、種々のサーバ装置が提案及び開発されている（例えば、特許文献１参照）。
【先行技術文献】
【特許文献】
【０００３】
【特許文献１】特開２００１−３０９４４０号公報
【発明の概要】
【発明が解決しようとする課題】
【０００４】
本発明は、簡易な操作及び構成でマッチング成立情報をユーザに通知することができるサーバ装置を提供することを目的とする。
【課題を解決するための手段】
【０００５】
本発明のサーバ装置は、
複数の端末装置に接続されたサーバ装置において、
既登録ユーザの氏名及び所属団体名を有するマイプロフィール情報と、前記既登録ユーザのマッチング希望相手の氏名及び所属団体名を有するマッチング希望相手プロフィール情報とを関連付けて、それぞれ前記既登録ユーザ毎に記憶する記憶部と、
前記端末装置から新規登録ユーザの前記マイプロフィール情報及び前記マッチング希望相手プロフィール情報を受信することにより、前記記憶部に記憶されている前記既登録ユーザの中から、前記新規登録ユーザの前記マイプロフィール情報を前記マッチング希望相手プロフィール情報として指定している前記既登録ユーザであって、かつ前記新規登録ユーザの前記マッチング希望相手プロフィール情報として前記マイプロフィール情報が指定されている前記既登録ユーザを抽出した場合には、マッチングが成立したことを示すマッチング成立情報を生成し、これを前記端末装置に送信する制御部と
を備える。
【発明の効果】
【０００６】
本発明のサーバ装置によれば、簡易な操作及び構成でマッチング成立情報をユーザに通知することができる。
【図面の簡単な説明】
【０００７】
【図１】本発明の実施の形態によるマッチング支援システムの構成を示すブロック図である。
【図２】同マッチング支援システムにおけるマッチング処理の説明に供する略線図である。
【発明を実施するための形態】
【０００８】
以下、本発明の実施の形態について図面を参照して説明する。
【０００９】
図１（ａ）は、本発明の実施の形態によるマッチング支援システム１０の構成を示し、図１（ｂ）は、当該マッチング支援システム１０のサーバ装置２０の構成を示す。
【００１０】
マッチング支援システム１０は、サーバ装置２０と、複数の端末装置４０Ａ〜４０Ｎとを有し、サーバ装置２０に、インターネット回線３０を介して、複数の端末装置４０Ａ〜４０Ｎを接続することにより構成される。
【００１１】
サーバ装置２０は、マッチング支援サービスを運営及び管理するためのコンピュータからなり、制御部５０と、記憶部６０と、入力部７０と、表示部８０と、送受信処理部９０とを有する。
【００１２】
サーバ装置２０の記憶部６０には、マッチング支援サービスを提供するために必要なソフトウエアが予め記憶されている。制御部５０は、この記憶部６０に記憶されているソフトウエアを読み出して実行することにより、各部の動作を制御する。
【００１３】
複数の端末装置４０Ａ〜４０Ｎは、例えばスマートフォン、タブレット、パーソナルコンピュータなどからなり、マッチング支援サービスを利用するユーザによって使用される。なお、端末装置４０Ａ〜４０Ｎについても、サーバ装置２０と同様の構成を有する。
【００１４】
各ユーザは、それぞれ自分の端末装置４０Ａ〜４０Ｎを操作し、インターネット回線３０を介して、サーバ装置２０にアクセスすることにより、種々の処理を行う。
【００１５】
ところで、本実施の形態の場合、サーバ装置２０の記憶部６０には、複数のユーザの氏名及び所属団体名が、マイプロフィール情報として、それぞれユーザ毎に記憶及び登録されている。なお、氏名は、旧姓でも良く、また、所属団体名は、ユーザが現在所属している団体名ではなく、過去に所属していた団体名であっても良い。
【００１６】
さらに、本実施の形態の場合には、自分がマッチングを希望する相手側ユーザとして、少なくとも１名以上のマッチング希望相手を予め選定しておき、当該選定されたマッチング希望相手の氏名及び所属団体名が、マッチング希望相手プロフィール情報として、マイプロフィール情報に関連付けて、それぞれユーザ毎に記憶部６０に記憶及び登録されている。
【００１７】
この状態において、マッチング支援サービスに新規に登録しようとするユーザが、自分の端末装置４０を入力操作すると、端末装置４０は、この新規登録ユーザのマイプロフィール情報及びマッチング希望相手プロフィール情報を生成し、これをインターネット回線３０を介してサーバ装置２０に送信する。
【００１８】
サーバ装置２０の送受信処理部９０は、端末装置４０からインターネット回線３０を介して送信されてきた新規登録ユーザのマイプロフィール情報及びマッチング希望相手プロフィール情報を受信すると、これを制御部５０に供給する。
【００１９】
制御部５０は、供給された新規登録ユーザのマイプロフィール情報及びマッチング希望相手プロフィール情報を記憶部６０に記憶及び登録する。
【００２０】
これと共に、制御部５０は、新規登録ユーザのマイプロフィール情報及びマッチング希望相手プロフィール情報を用いて、記憶部６０に記憶及び登録されている既登録ユーザのマイプロフィール情報及びマッチング希望相手プロフィール情報を調査及び解析する。
【００２１】
その結果、制御部５０は、記憶部６０に記憶及び登録されている既登録ユーザの中から、新規登録ユーザのマイプロフィール情報をマッチング希望相手プロフィール情報として指定している既登録ユーザであって、かつ新規登録ユーザのマッチング希望相手プロフィール情報としてマイプロフィール情報が指定されている既登録ユーザを抽出した場合には、マッチングが成立したことを示すマッチング成立情報を生成する。
【００２２】
なお、この場合、制御部５０は、ユーザの氏名及び所属団体名の両方が一致した場合に、当該ユーザが他のユーザのマッチング希望相手として指定されていると判断する。これに対して、制御部５０は、ユーザの氏名及び所属団体名のいずれか一方のみが一致し、他方が不一致である場合には、当該ユーザが他のユーザのマッチング希望相手として指定されていないと判断する。
【００２３】
続いて、制御部５０は、このマッチング成立情報を、送受信処理部９０及びインターネット回線３０を介して、新規登録ユーザ及び既登録ユーザの両方又はいずれか一方が使用する端末装置４０に送信して通知する。
【００２４】
因みに、ユーザが新規登録を行う際、当該ユーザの所属団体名の中に同性同名のユーザが既に登録されている場合には、例えば性別、年齢、電話番号、ＳＮＳのＩＤ情報、血液型などを入力し、既に登録されているユーザと区別するようにしても良い。
【００２５】
また、所属団体名の入力作業を正確かつ簡便にするため、都道府県からの絞り込みや、プルダウンメニューからの選択や、頭文字検索からの選択など、予め登録された所属団体名リストから選択して入力するようにしても良い。
【００２６】
このように、本実施の形態の場合、複数の端末装置４０Ａ〜４０Ｎに接続されたサーバ装置２０は、既登録ユーザの氏名及び所属団体名を有するマイプロフィール情報と、既登録ユーザのマッチング希望相手の氏名及び所属団体名を有するマッチング希望相手プロフィール情報とを関連付けて、それぞれ既登録ユーザ毎に記憶する記憶部６０と、端末装置４０から新規登録ユーザのマイプロフィール情報及びマッチング希望相手プロフィール情報を受信することにより、記憶部６０に記憶されている既登録ユーザの中から、新規登録ユーザのマイプロフィール情報をマッチング希望相手プロフィール情報として指定している既登録ユーザであって、かつ新規登録ユーザのマッチング希望相手プロフィール情報としてマイプロフィール情報が指定されている既登録ユーザを抽出した場合には、マッチングが成立したことを示すマッチング成立情報を生成し、これを端末装置４０に送信する制御部５０とを備える。
【００２７】
従って、本実施の形態によれば、簡易な操作及び構成でマッチング成立情報をユーザに通知することができる。
【符号の説明】
【００２８】
１０  マッチング支援システム
２０  サーバ装置
４０  端末装置
５０  制御部
６０  記憶部
７０  入力部
８０  表示部
９０  送受信処理部
【図１】
2018077590.tif 000003
【図２】
2018077590.tif 000004